(57)【要約】【課題】  消費電力の低減し、覗き見を防止し、表示の明るさを調整することができる携帯端末装置を提供する。【解決手段】  画像を表示する表示面２を有する表示部３と、表示部３の表示面２上に積層して設けられ、操作者が接触した位置を検出して、その接触位置を示す位置信号を出力する操作部４と、操作部４からの位置信号に応答して、接触位置を含む予め定める指定領域Ｓを、画像を表示させる表示領域、または画像を表示させない非表示領域として設定する領域設定部５と、領域設定部５によって設定された表示領域に、画像を表示させる表示制御部６とを備える。【選択図】      図１
2015102941.tif 000002
【特許請求の範囲】
【請求項１】
画像を表示する表示面を有する表示部と、
前記表示部の前記表示面上に積層して設けられ、操作者が接触した位置を検出して、その接触位置を示す位置信号を出力する操作部と、
前記操作部からの前記位置信号に応答して、前記接触位置を含む予め定める指定領域を、前記画像を表示させる表示領域、または前記画像を表示させない非表示領域として設定する領域設定部と、
前記領域設定部によって設定された前記表示領域に、前記画像を表示させる表示制御部と、を備えることを特徴とする携帯端末装置。
【請求項２】
前記表示部は、一方主面が前記表示面を成す液晶表示素子と、前記液晶表示素子の前記一方主面とは反対側の他方主面に対向して配置され、前記液晶表示素子に光を照射するバックライト部とを有する透過型液晶表示装置から成り、
前記表示制御部は、前記バックライト部の前記表示領域に対応する領域を点灯させ、かつ前記非表示領域に対応する領域を消灯させて、前記表示領域に画像を表示させることを特徴とする請求項１に記載の携帯端末装置。
【請求項３】
前記表示部は、一方主面が前記表示面を成す液晶表示素子と、前記液晶表示素子の前記一方主面とは反対側の他方主面に対向して配置され、前記液晶表示素子に光を照射するバックライト部とを有する透過型液晶表示装置から成り、
前記表示制御部は、前記バックライト部を点灯させた状態で、前記液晶表示素子の前記表示領域に対応する領域を、前記画像が表示されるように制御し、前記非表示領域に対応する領域を、前記画像が表示されないように制御して、前記表示領域に画像を表示させることを特徴とする請求項１に記載の携帯端末装置。
【請求項４】
前記表示制御部は、前記表示領域に画像を縮小して表示させることを特徴とする請求項１に記載の携帯端末装置。
【請求項５】
前記表示制御部が前記表示領域および前記非表示領域の表示の制御を開始する開始時刻と、前記表示制御部が前記表示領域および前記非表示領域の表示の制御を終了する終了時刻とを設定するための時刻設定部を、さらに含み、
前記表示制御部は、前記時刻設定部によって設定された開始時刻に、前記表示領域および前記非表示領域の制御を開始し、前記時刻設定部によって設定された終了時刻に、前記表示領域および前記非表示領域の制御を終了することを特徴とする請求項１〜４のいずれか１つに記載の携帯端末装置。
【請求項６】
前記表示制御部が前記表示領域および前記非表示領域の表示の制御を開始する開始場所と、前記表示制御部が前記表示領域および前記非表示領域の表示の制御を終了する終了場所とを設定するための場所設定部と、
現在の位置情報を取得する位置情報取得部とを、さらに含み、
前記表示制御部は、前記位置情報取得部によって取得された位置情報が示す位置が、前記場所設定部によって設定された開始場所であるとき、前記表示領域および前記非表示領域の制御を開始し、前記位置情報取得部によって取得された位置情報が示す位置が、前記時刻設定部によって設定された終了場所であるとき、前記表示領域および前記非表示領域の制御を終了することを特徴とする請求項１〜５のいずれか１つに記載の携帯端末装置。
【発明の詳細な説明】
【技術分野】
【０００１】
本発明は、スマートフォン、携帯電話装置、ＰＤＡ（Personal Digital Assistants）、タブレット型ＰＣ（Personal Computer）およびノート型ＰＣなどの携帯端末装置に関する。
【背景技術】
【０００２】
近年、画面サイズの大きな表示装置を搭載したスマートフォンなどの携帯端末装置が普及している。しかしながら、画面サイズの増大に伴い、常に全画面を表示しなければならないというわけでもならなくなりつつある。
【０００３】
例えば、時計や音楽プレーヤなどのアプリケーションプログラムの実行画面は、極めて一部の表示のみで事が足りるケースがほとんどである。また、アラームなどの定期的に起動されるアプリケーションプログラムに対しても、常時全画面を表示する必要のない場合がある。
【０００４】
また、大画面になればなるほど、覗き見防止などの目的のために、一部のみを表示したいユースケースも考えられる。この場合、前述のように、表示したいアプリケーションプログラムの実行画面だけを表示できれば、ユーザにとって使い勝手が良い。例えば、大画面になればなるほど、暗闇で使用する際に眩しすぎることが多く、使用者あるいは第三者に対して不快感を与えることがある。
【０００５】
このような問題を解決するために、画面全体ではなく画面の一部に特定の処理を行う従来技術は、たとえば特許文献１に記載されている。この従来技術では、画像を表示する表示手段と、表示手段の表示領域に対応した接触領域を有し、接触領域に対する接触操作を検出して、接触領域における接触操作の位置を示す位置信号を出力する操作手段と、操作手段からの位置信号に基づいて、接触領域における接触操作の各位置に対応する表示領域の位置を全て含む表示領域の対象範囲を決定する範囲決定手段と、表示領域の対象範囲に表示された画像を表示手段に見えなくさせる表示制御手段とを、備える携帯端末装置が提案されている。
【０００６】
特許文献２に記載される他の従来技術では、サイトにおいて提供されているコンテンツのダウンロードを行っている期間は、ＬＣＤのバックライトのＬＥＤと、キースイッチのバックライトのＬＥＤとを点灯させて、コンテンツをＬＣＤに表示させて、消費電力を削減することが提案されている。
【先行技術文献】
【特許文献】
【０００７】
【特許文献１】特許第５０６３７９１号公報
【特許文献２】特許第３４１２５７１号公報
【発明の概要】
【発明が解決しようとする課題】
【０００８】
前述の特許文献１，２に記載される従来技術では、接触操作を検出した表示制限領域の表示が制限されるので、消費電力を低減し、覗き見を防止することができないという問題がある。
【０００９】
本発明の目的は、消費電力を低減し、覗き見を防止し、表示の明るさを調整することができる携帯端末装置を提供することである。
【課題を解決するための手段】
【００１０】
本発明は、画像を表示する表示面を有する表示部と、
前記表示部の前記表示面上に積層して設けられ、操作者が接触した位置を検出して、その接触位置を示す位置信号を出力する操作部と、
前記操作部からの前記位置信号に応答して、前記接触位置を含む予め定める指定領域を、前記画像を表示させる表示領域、または前記画像を表示させない非表示領域として設定する領域設定部と、
前記領域設定部によって設定された前記表示領域に、前記画像を表示させる表示制御部と、を備える携帯端末装置である。
【００１１】
また本発明の前記表示部は、一方主面が前記表示面を成す液晶表示素子と、前記液晶表示素子の前記一方主面とは反対側の他方主面に対向して配置され、前記液晶表示素子に光を照射するバックライト部とを有する透過型液晶表示装置から成り、
前記表示制御部は、前記バックライト部の前記表示領域に対応する領域を点灯させ、かつ前記非表示領域に対応する領域を消灯させて、前記表示領域に画像を表示させることを特徴とする。
【００１２】
また本発明の前記表示部は、一方主面が前記表示面を成す液晶表示素子と、前記液晶表示素子の前記一方主面とは反対側の他方主面に対向して配置され、前記液晶表示素子に光を照射するバックライト部とを有する透過型液晶表示装置から成り、
前記表示制御部は、前記バックライト部を点灯させた状態で、前記液晶表示素子の前記表示領域に対応する領域を、前記画像が表示されるように制御し、前記非表示領域に対応する領域を、前記画像が表示されないように制御して、前記表示領域に画像を表示させることを特徴とする。
【００１３】
また本発明の前記表示部は、液晶表示素子と、前記液晶表示素子の前記表示面を成す一方主面とは反対側の他方主面に、光を照射するバックライト部とを有する透過型液晶表示装置によって構成され、
前記表示制御部は、前記表示領域に画像を縮小して表示させ、かつ前記非表示領域に画像を表示させないように、前記液晶表示素子を制御することを特徴とする。
【００１４】
また本発明は、前記表示制御部が前記表示領域および前記非表示領域の表示の制御を開始する開始時刻と、前記表示制御部が前記表示領域および前記非表示領域の表示の制御を終了する終了時刻とを設定するための時刻設定部を、さらに含み、
前記表示制御部は、前記時刻設定部によって設定された開始時刻に、前記前記表示領域および前記非表示領域の制御を開始し、前記時刻設定部によって設定された終了時刻に、前記表示領域および前記非表示領域の制御を解除することを特徴とする。
【００１５】
また本発明は、前記表示制御部が前記表示領域および前記非表示領域の表示の制御を開始する開始場所と、前記表示制御部が前記表示領域および前記非表示領域の表示の制御を終了する終了場所とを設定するための場所設定部と、
現在の位置情報を取得する位置情報取得部とを、さらに含み、
前記表示制御部は、前記位置情報取得部によって取得された位置情報が示す位置が、前記場所設定部によって設定された開始場所であるとき、前記表示領域および前記非表示領域の制御を開始し、前記位置情報取得部によって取得された位置情報が示す位置が、前記時刻設定部によって設定された終了場所であるとき、前記表示領域および前記非表示領域の制御を終了することを特徴とする。
【発明の効果】
【００１６】
本発明によれば、表示部の表示面の一部を表示制限領域とすることによって、不必要な表示を行わなくすることができる。これによって、消費電力の軽減、覗き見防止、表示の明るさ調整が可能となるといった効果を奏することができる。
【００１７】
また、表示制限領域の設定条件として、時刻、場所およびアプリケーションプログラムの起動/終了の画像を設定することができるので、使用上の利便性を向上することができる。
【図面の簡単な説明】
【００１８】
【図１】本発明の一実施形態の携帯端末装置１を示す正面図である。
【図２】携帯端末装置の電気的構成を示すブロック図である。
【図３】携帯端末装置１の表示制御動作を説明するためのフローチャートである。
【図４】本発明の他の実施形態の携帯端末装置１の表示制御動作を説明するためのフローチャートである。
【図５】本発明の他の実施形態の携帯端末装置１の表示制御動作を説明するためのフローチャートである。
【図６】全画面表示領域から指定領域Ｓに制限した状態を示す図である。
【図７】指定領域Ｓを縮小表示させた状態を示す図である。
【発明を実施するための形態】
【００１９】
（第１実施形態）
図１は、本発明の一実施形態の携帯端末装置１を示す正面図であり、図２は携帯端末装置の電気的構成を示すブロック図である。本実施形態の携帯端末装置１は、スマートフォン装置、携帯電話装置、ＰＤＡ（Personal Digital Assistants）、タブレット型ＰＣ（Personal Computer）またはノート型ＰＣなどによって実現される携帯端末装置であって、画像を表示する表示面２を有する表示部３と、表示部３の表示面２上に積層して設けられ、操作者が接触した１または複数の点Ｐの位置である接触位置Ｐ（ｘ、ｙ）を検出して、その接触位置Ｐ（ｘ、ｙ）を示す位置信号を出力する操作部４と、操作部４からの位置信号に応答して、接触位置Ｐ（ｘ、ｙ）を含む予め定める指定領域Ｓを、画像を表示させる表示領域、または前記画像を表示させない非表示領域として設定する領域設定部５と、領域設定部５によって設定された表示領域に、前記画像を表示させる表示制御部６と、表示制御部６が表示領域および非表示領域の表示の制御を開始する開始時刻ｔ１と、表示制御部６が表示領域および非表示領域の表示の制御を終了する終了時刻ｔ２とを設定するための時刻設定部７と、場所を設定するための場所設定部８と、を含んで構成される。
【００２０】
本実施形態の携帯端末装置１は、上記の構成に加えて、図示しない通信部、前記表示制御部６を実現する主制御部、一時記憶部、主記憶部、アンテナなどを含む。通信部は、インターネットや公衆無線通信回線などの通信ネットワークを介して、他の携帯端末装置と通信するためのインターフェースとして設けられる。通信方式には、特に制限はないが、IEEE802.11に規定される無線通信規格が採用されてもよい。また、他の携帯端末装置との通信には、赤外線通信方式のほか、bluetooth（登録商標）を利用した通信が可能であるように構成されてもよい。
【００２１】
主制御部は、携帯端末装置１の全体的な動作を統括的に制御する処理部であり、たとえばＣＰＵ（Central Processing Unit）によって実現される。この主制御部は、携帯端末装置１において行われる各種の処理が、前記主記憶部に記憶される各種プログラムに基づいて適切に実行されるように、各部の動作を制御する。
【００２２】
表示部３は、たとえば液晶表示素子およびその駆動回路などを含んで構成され、文書や画像を表示する表示面２を有する。表示部３の表示面２上には、前述のように操作部４が積層された状態で設けられる。操作部４は、タッチパネルなどによって実現される。
【００２３】
前記一時記憶部は、主制御部において各種動作を実行する際に必要なデータやプログラムを一時的に記憶するためのものであり、電源が供給されている間のみデータ保持が可能なＳＲＡＭ（Static Random Access Memory）またはＤＲＡＭ（Dynamic Random Access Memory）のほか、電源供給が遮断された状態でも記録したデータを保持し続けることが可能なフラッシュメモリなどによって実現される。
【００２４】
前記主記憶部は、携帯端末装置１の各種動作を実行させるために必要なプログラムとデータとを保持するものであって、ハードディスク装置、ＳＳＤ（Solid State Drive）、フラッシュメモリなどによって実現される。
【００２５】
表示部３は、液晶表示素子と、液晶表示素子の前記表示面２を成す一方主面とは反対側の他方主面に、光を照射するバックライト部とを有する透過型液晶表示装置によって実現される。
【００２６】
図３は、携帯端末装置１の表示制御動作を説明するためのフローチャートである。ステップａ０で、携帯端末装置１の電源がオンされ、携帯端末装置１が起動された状態において、ステップａ１で、操作者が手指で表示部３の表示面２に表示されている、たとえば所定のアプリケーションプログラムを表す複数のアイコンのうちの１つが表示された指定領域Ｓを接触操作して指定すると、ステップａ２に移行し、指定されたアプリケーションプログラムが起動される。
【００２７】
ステップａ２において、指定されたアプリケーションプログラムが起動しない場合には、ステップａ３へ移行して、表示部３の表示面２には全画面表示が行われる。また、ステップａ２において、指定したアプリケーションプログラムが起動した場合には、ステップａ４へ移行し、操作者が指定した指定領域Ｓが、指定アプリケーションプログラムに関連付けられたアイコンなど画像を表示させる表示領域として領域設定部５によって設定されていれば、バックライト部の該表示領域（すなわち、指定領域Ｓ）に対応する領域を点灯させ、かつ表示領域の周囲の領域である非表示領域に対応する領域を消灯させる。
【００２８】
ステップａ５で、指定したアプリケーションプログラムが終了したか否かが判断され、終了していればステップａ３へ移行して全画面表示が行われた後、ステップａ６へ移行して、表示制御部６による表示制御動作が終了する。またステップａ５において、指定したアプリケーションプログラムが終了していなければ、ステップａ４へ移行して、実行画面の表示がアプリケーションプログラムが終了するまで、継続される。
【００２９】
（第２実施形態）
前述の実施形態では、非表示領域の実現の仕方として、バックライト部を点灯しないという構成を採用したが、回路構成上の制限によって、一部のエリアのみバックライト部を点灯させないように構成することが困難な場合には、液晶表示素子を制御して、指定領域Ｓを通常表示とし、非表示領域を黒表示させることによって、前記一部のエリアのみバックライトを点灯させない構成に代用してもよい。この場合にも、前述の実施形態と同様な効果を奏することができる。
【００３０】
このような液晶表示素子の制御による場合には、表示制御部６は、表示部３の液晶表示素子の表示領域に対応する領域を、画像が表示されるように制御し、液晶表示素子の非表示領域に対応する領域を、画像が表示されないように制御するように構成される。
【００３１】
（第３実施形態）
図４は、本発明の他の実施形態の携帯端末装置１の表示制御動作を説明するためのフローチャートである。なお、前述の実施形態と対応する部分には、同一の参照符を付す。本実施形態では、時刻設定部７によって、表示制御部６が表示領域および非表示領域の表示の制御を開始する開始時刻ｔ１と、表示制御部６が表示領域および非表示領域の表示の制御を終了する終了時刻ｔ２とが設定される。
【００３２】
ステップｂ０で、携帯端末装置１の電源がオンされ、携帯端末装置１が起動された状態において、ステップｂ１で、時刻設定部７によって時間条件、すなわち開始時刻ｔ１と終了時刻ｔ２とが設定される。ステップｂ２では、図示しないタイマとも称される計時手段からの時刻情報に基づいて、表示制御部６は現在時刻が開始時刻ｔ１または終了時刻ｔ２であるか否かが判断され、開始時刻ｔ１および終了時刻ｔ２のいずれでもない場合には、次のステップｂ３へ移行し、表示面２によって全画面表示を行わせ、ステップｂ６で表示制御動作を終了する。
【００３３】
ステップｂ２において、現在時刻が開始時刻ｔ１および終了時刻ｔ２のいずれかであれば、ステップｂ４へ移行し、全画面表示から指定領域Ｓに表示領域を切換え、その指定領域Ｓを表示領域として画像を表示させる。
【００３４】
次に、ステップｂ５に移行し、現在時刻が開始時刻ｔ１か終了時刻ｔ２かが判断され、終了時刻ｔ２であればステップｂ４へ戻り、終了時刻ｔ２でなければ再びステップｂ３へ移行し、ステップｂ６で表示制御動作が終了する。
【００３５】
このように表示制御部６は、時刻設定部７によって設定された開始時刻ｔ１に、表示領域および非表示領域の制御を開始し、時刻設定部７によって設定された終了時刻ｔ２に、表示領域および非表示領域の制御を解除し、表示領域だけによる表示が実行される。
【００３６】
（第４実施形態）
図５は、本発明の他の実施形態の携帯端末装置１の表示制御動作を説明するためのフローチャートである。なお、前述の実施形態と対応する部分には、同一の参照符を付す。本実施形態では、場所設定部８によって、表示制御部６が表示領域および非表示領域の表示の制御を開始する場所条件が設定される。
【００３７】
ステップｃ０で、携帯端末装置１の電源がオンされ、携帯端末装置１が起動された状態において、ステップｃ１で、場所設定部８によって操作者が予め想定する場所が場所条件として設定される。ステップｃ２では、位置情報取得部である、たとえば図示しないＧＰＳ（Global Positioning System）などによる地図情報に基づいて、表示制御部６は現在位置が場所条件として設定された場所であるか否かを判断し、ＧＰＳによって取得われた現在位置が、設定された場所でない場合には、次のステップｃ３へ移行し、表示面２によって全画面表示を行わせ、ステップｂ６で表示制御動作を終了する。
【００３８】
ステップｃ２において、ＧＰＳによって取得われた現在位置が設定された場所である場合には、ステップｃ４へ移行し、全画面表示から指定領域Ｓに表示領域を切換え、その指定領域Ｓを表示領域として画像を表示させる。
【００３９】
次に、ステップｃ５に移行し、現在位置が設定された場所か否かが判断され設定された場所であれば、ステップｃ４へ戻り、設定された場所でなければ再びステップｃ３へ移行し、ステップｃ６で表示制御動作が終了する。
【００４０】
このように表示制御部６は、場所設定部８によって場所条件として設定された場所であれば、表示領域および非表示領域の制御を開始し、設定された場所でなければ全画面表示に戻る。
【００４１】
前述の実施形態では、図５に示すように、表示範囲を狭く制限した領域で表示を行う構成について述べたが、本発明のさらに他の実施形態では、図６に示すように、全画面表示領域を指定領域Ｓに縮小表示させてもよい。これによっても、前述と同様な効果を奏することができる。
【００４２】
以上のように、操作者は携帯端末装置１の使用用途に合わせて、前述の各実施形態のいずれの表示方法を行うかを選択することができる。非表示領域は固定であってもよく、あるいは動的に非表示領域を移動、拡大、縮小させてもよい。
【００４３】
前述の各実施形態の携帯端末装置１は、車載オーディオの外部入力に接続して、ミュージックプレーヤーで音楽再生中は、ミュージックプレーヤーとしての表示は必要だが、全画面表示するのは消費電力の無駄遣いとなるので、ミュージックプレーヤー起動中は、常時ミュージックプレーヤーの画面のみを指定領域Ｓとして、一部の領域だけで表示するように設定されてもよい。
【００４４】
また、夜中などの暗所においては、携帯端末装置１によって、たとえば時計の時刻を確認したいだけであれば、全画面表示されても眩しいだけである。この場合においても、前述の各実施形態において、事前に指定した時刻、たとえば００：００〜０７：００の時間帯では、電源キー押下では時計と音声、メール着信有無のみを表示するように設定してもよい。
【００４５】
また、電車などに乗車中では、誰からのメール着信であったかを表示することも可能であれば避けたい場合がある。この場合には、前述の図５の実施形態の携帯端末装置１を用いることによって、事前に指定した場所に到着するまでは、起動したアプリケーションプログラムに関する画面表示のみ行うように設定しておくことができる。
【符号の説明】
【００４６】
１  携帯端末装置
２  表示面
３  表示部
４  操作部
５  領域設定部
６  表示制御部
７  時刻設定部
８  場所設定部
Ｓ  指定領域
ｔ１  開始時刻
ｔ２  終了時刻
【図１】
2015102941.tif 000003
【図２】
2015102941.tif 000004
【図３】
2015102941.tif 000005
【図４】
2015102941.tif 000006
【図５】
2015102941.tif 000007
【図６】
2015102941.tif 000008
【図７】
2015102941.tif 000009